【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基準シーケンスを生成するステップと、
ユーザ機器(UE)のためのシステム情報送信要求用のフォーマットを含むペイロードを組み立てるステップであって、前記ペイロードが、少なくとも前記UEが前記システム情報送信要求を送信するためのリソース割振りを含む、ステップと、
前記ペイロードを符号化するステップと、
ゾーンにわたって単一周波数ネットワーク(SFN)を使用して同期信号を送信するステップであって、前記同期信号が前記基準シーケンスおよび符号化ペイロードを含む、ステップと
を備え、
基準信号が前記ゾーンのゾーンノードのタイミングと相関することによって、生成され、前記ゾーンが、1つまたは複数の他のゾーンノードを含み、
前記同期信号が少なくとも前記ゾーンノードによって送信される、
方法。
【請求項２】
i）前記基準シーケンスとともにゾーン識別子(ID)を埋め込むステップを含むか、
ii）前記ペイロード内に前記ゾーンIDを含めるステップを含むか、
iii）前記ペイロードが、
a）前記システム情報送信要求および前記同期信号のうちの1つまたは複数の送信用に指定された1つまたは複数の時間周波数リソース位置と、
b）前記UEのための電力制御情報と、
c）前記ゾーンに関連付けられたシステム情報の状態を識別する更新識別子と
のうちの1つまたは複数をさらに含むステップを含むか、
iv）前記リソース割振りに従って、前記UEから前記システム情報送信要求を受信するステップ、および
前記システム情報送信要求に応答して、前記UEにシステム情報を自律的に送信するステップ、を含むか、
v）前記リソース割振りに従って、前記UEから前記システム情報送信要求を受信するステップ、および
前記システム情報送信要求をゾーンノードコントローラに報告するステップ、を含むか、または、
vi）前記UEにシステム情報を送信するために前記ゾーンノードを識別する命令をゾーンノードコントローラから受信するステップを含むか、
のうちの1つをさらに含む、請求項1に記載の方法。
【請求項３】
前記ゾーンノードまたは前記ゾーンのうちの1つの前記システム情報に対する変更を検出するステップと、
前記システム情報に対する前記変更を示すように前記更新識別子を設定するステップと
をさらに含む、請求項2のオプションiii）に記載の方法。
【請求項４】
ワイヤレス通信の方法であって、
ユーザ機器(UE)において単一周波数ネットワーク(SFN)を介して同期信号を受信するステップであって、前記同期信号が基準シーケンスおよび符号化ペイロードを含む、ステップと、
前記基準シーケンスを使用して前記UEにおけるタイミングを同期させるステップと、
前記符号化ペイロードを復号して、少なくともシステム情報送信要求用のフォーマットおよび前記システム情報送信要求用のリソース割振りを取得するステップと、
前記同期信号から取得された情報に基づいてゾーンノードに前記システム情報送信要求を送信するステップであって、前記システム情報送信要求が前記リソース割振りに従って送信される、ステップと
を備え、
前記同期信号がゾーンの1つまたは複数のゾーンノードによって前記SFNを介して送信され、
前記基準シーケンスを使用して、前記1つまたは複数のゾーンノードのうちの少なくとも1つのタイミングに前記UEにおけるタイミングを同期させる、
方法。
【請求項５】
i）前記基準シーケンスの中に埋め込まれたゾーン識別子(ID)を抽出するステップであって、前記ゾーンIDが、前記ゾーンノードが含まれるゾーンを識別する、ステップ、または
ii）前記符号化ペイロードから前記ゾーンIDを復号するステップ
のうちの1つをさらに含む、請求項4に記載の方法。
【請求項６】
前記符号化ペイロードを前記復号するステップが、
前記システム情報送信要求および前記同期信号のうちの1つまたは複数の送信用に指定された時間周波数リソース位置と、
前記UEのための電力制御情報と、
前記ゾーンに関連付けられたシステム情報の状態を識別する更新識別子と
のうちの1つまたは複数をさらに取得する、請求項5に記載の方法。
【請求項７】
i）下記のaまたはbのうちの1つをさらに含むか、または、
a）前記ゾーンIDに基づいて新しいゾーンを検出するステップであって、前記システム情報送信要求を前記送信するステップが前記新しいゾーンに応答する、ステップ、もしくは
b）前記更新識別子によって識別された前記システム情報に対する変更を検出するステップであって、前記システム情報送信要求を前記送信するステップが前記変更に応答する、ステップ
ii）前記システム情報送信要求の送信用に指定された前記時間周波数リソース位置にさらに従って、かつ前記電力制御情報に関連付けられた電力において、前記システム情報送信要求が送信される、
請求項6に記載の方法。
【請求項８】
ワイヤレス通信のために構成された装置であって、
基準シーケンスを生成するための手段と、
ユーザ機器(UE)のためのシステム情報送信要求用のフォーマットを含むペイロードを組み立てるための手段であって、前記ペイロードが、少なくとも前記UEが前記システム情報送信要求を送信するためのリソース割振りを含む、手段と、
前記ペイロードを符号化するための手段と、
ゾーンにわたって単一周波数ネットワーク(SFN)を使用して同期信号を送信するための手段であって、前記同期信号が前記基準シーケンスおよび符号化ペイロードを含む、手段と
を備え、
基準信号が前記ゾーンのゾーンノードのタイミングと相関することによって、生成され、前記ゾーンが、1つまたは複数の他のゾーンノードを含み、
前記同期信号が少なくとも前記ゾーンノードによって送信される、
装置。
【請求項９】
i）前記基準シーケンスとともにゾーン識別子(ID)を埋め込むための手段を含むか、
ii）前記ペイロード内に前記ゾーンIDを含めるための手段を含むか、
iii）前記ペイロードが、
a）前記システム情報送信要求および前記同期信号のうちの1つまたは複数の送信用に指定された1つまたは複数の時間周波数リソース位置と、
b）前記UEのための電力制御情報と、
c）前記ゾーンに関連付けられたシステム情報の状態を識別する更新識別子と
のうちの1つまたは複数をさらに含むための手段を含むか、
iv）前記リソース割振りに従って、前記UEから前記システム情報送信要求を受信するための手段、および
前記システム情報送信要求に応答して、前記UEにシステム情報を自律的に送信するための手段、を含むか、
v）前記リソース割振りに従って、前記UEから前記システム情報送信要求を受信するための手段、および
前記システム情報送信要求をゾーンノードコントローラに報告するための手段、を含むか、または、
vi）前記UEにシステム情報を送信するために前記ゾーンノードを識別する命令をゾーンノードコントローラから受信するための手段を含むか、
のうちの1つをさらに含む、請求項8に記載の装置。
【請求項１０】
ワイヤレス通信のために構成された装置であって、
ユーザ機器(UE)において単一周波数ネットワーク(SFN)を介して同期信号を受信するための手段であって、前記同期信号が基準シーケンスおよび符号化ペイロードを含む、手段と、
前記基準シーケンスを使用して前記UEにおけるタイミングを同期させるための手段と、
前記符号化ペイロードを復号して、少なくともシステム情報送信要求用のフォーマットおよび前記システム情報送信要求用のリソース割振りを取得するための手段と、
前記同期信号から取得された情報に基づいてゾーンノードに前記システム情報送信要求を送信するための手段であって、前記システム情報送信要求が前記リソース割振りに従って送信される、手段と
を備え、
前記同期信号がゾーンの1つまたは複数のゾーンノードによって前記SFNを介して送信され、
前記基準シーケンスを使用して、前記1つまたは複数のゾーンノードのうちの少なくとも1つのタイミングに前記UEにおけるタイミングを同期させる、
装置。
【請求項１１】
前記基準シーケンスの中に埋め込まれたゾーン識別子(ID)を抽出するための手段であって、前記ゾーンIDが、前記ゾーンノードが含まれるゾーンを識別する、手段、または
前記符号化ペイロードから前記ゾーンIDを復号するための手段
のうちの1つをさらに含む、請求項10に記載の装置。
【請求項１２】
前記符号化ペイロードを復号するための前記手段が、
前記システム情報送信要求および前記同期信号のうちの1つまたは複数の送信用に指定された時間周波数リソース位置と、
前記UEのための電力制御情報と、
前記ゾーンに関連付けられたシステム情報の状態を識別する更新識別子と
のうちの1つまたは複数をさらに取得する、請求項11に記載の装置。
【請求項１３】
i）下記の手段のうちの1つをさらに含むか、または、
前記ゾーンIDに基づいて新しいゾーンを検出するための手段であって、前記システム情報送信要求を送信するための前記手段が前記新しいゾーンに応答する、手段、もしくは
前記更新識別子によって識別された前記システム情報に対する変更を検出するための手段であって、前記システム情報送信要求を送信するための前記手段が前記変更に応答する、手段
ii）前記システム情報送信要求の送信用に指定された前記時間周波数リソース位置にさらに従って、かつ前記電力制御情報に関連付けられた電力において、前記システム情報送信要求が送信される、
請求項12に記載の装置。
【請求項１４】
プログラムコードを記録した非一時的コンピュータ可読記録媒体であって、
基準シーケンスを生成することをコンピュータに行わせるためのプログラムコードと、
ユーザ機器(UE)のためのシステム情報送信要求用のフォーマットを含むペイロードを組み立てることを前記コンピュータに行わせるためのプログラムコードであって、前記ペイロードが、少なくとも前記UEが前記システム情報送信要求を送信するためのリソース割振りを含む、プログラムコードと、
前記ペイロードを符号化することを前記コンピュータに行わせるためのプログラムコードと、
ゾーンにわたって単一周波数ネットワーク(SFN)を使用して同期信号を送信することを前記コンピュータに行わせるためのプログラムコードであって、前記同期信号が前記基準シーケンスおよび符号化ペイロードを含む、プログラムコードと
を備え、
基準信号が前記ゾーンのゾーンノードのタイミングと相関することによって、生成され、前記ゾーンが、1つまたは複数の他のゾーンノードを含み、
前記同期信号が少なくとも前記ゾーンノードによって送信されることによって前記基準信号が生成される、
非一時的コンピュータ可読記録媒体。
【請求項１５】
プログラムコードを記録した非一時的コンピュータ可読記録媒体であって、
ユーザ機器(UE)において単一周波数ネットワーク(SFN)を介して同期信号を受信することをコンピュータに行わせるためのプログラムコードであって、前記同期信号が基準シーケンスおよび符号化ペイロードを含む、プログラムコードと、
前記基準シーケンスを使用して前記UEにおけるタイミングを同期させることを前記コンピュータに行わせるためのプログラムコードと、
前記符号化ペイロードを復号して、少なくともシステム情報送信要求用のフォーマットおよび前記システム情報送信要求用のリソース割振りを取得することを前記コンピュータに行わせるためのプログラムコードと、
前記同期信号から取得された情報に基づいてゾーンノードに前記システム情報送信要求を送信することを前記コンピュータに行わせるためのプログラムコードであって、前記システム情報送信要求が前記リソース割振りに従って送信される、プログラムコードと
を備え、
前記同期信号がゾーンの1つまたは複数のゾーンノードによって前記SFNを介して送信され、
前記基準シーケンスを使用して、前記1つまたは複数のゾーンノードのうちの少なくとも1つのタイミングに前記UEにおけるタイミングを同期させる、
非一時的コンピュータ可読記録媒体。